(57)【要約】【課題】離隔シートと着用者の肌との間に隙間が生じるのを防止することができる着用物品を提供する。【解決手段】おむつ１は、シャーシ１０と、シャーシ１０の身体側に位置する吸液構造体２０と、離隔シート３０と、一対の漏れバリアカフ４０とを含む。離隔シート３０の前後端縁３１，３２は、前後ウエスト域１１，１２において身体側ライナ２２に接合され、それ以外の部分では、ライナ２２から離間可能にされている。離隔シート３０には、中間部分３４を介して離間される前後連通部３５，３６が形成され、縦方向Ｙに延びる離隔シート弾性体３８が取り付けられている。離隔シート弾性体３８が収縮すると、離隔シート３０が吸液構造体２０から離間して、これらの間には空間が形成され、離隔シート３０と吸液構造体２０との間には、空間を前後に仕切る仕切りシート７０が形成されている。仕切りシート７０の他端７２には、可変形部材８０が形成されている。【選択図】図４
2010264134.tif 000002
【特許請求の範囲】
【請求項１】
縦方向、横方向および厚さ方向と、身体側およびその反対側と、前ウエスト域、後ウエスト域および前記前後ウエスト域間に位置するクロッチ域とを有するシャーシと、前記シャーシの前記身体側にあって前記シャーシから離間可能に形成された離隔シートとを含む着用物品において、
前記離隔シートは、前記シャーシの前記前後ウエスト域に接合される前後端縁と、前記縦方向に離間して形成され前記離隔シートの身体側およびその反対側を連通させる前後連通部と、前記前後連通部の前記横方向外側に位置する両側部分と、前記両側部分の間に連なるとともに前記前後連通部の間に形成された中間部分と、前記離隔シートを前記縦方向に弾性化する離隔シート弾性体と、前記中間部分に対して前記厚さ方向への可撓性を付与する可変形手段とを含み、前記中間部分が前記身体に沿って変形可能とされることを特徴とする前記着用物品。
【請求項２】
前記可変形手段は、前記中間部分の前記身体側およびその反対側の少なくともいずれか一方に位置し、前記横方向外側からの押圧によって変形可能な可変形部材を含む請求項１記載の着用物品。
【請求項３】
前記可変形手段は、前記離隔シート弾性体と、前記離隔シート弾性体を前記離隔シートに直接または間接的に接合する第１接合部とを含み、前記第１接合部は、前記縦方向に間欠的に複数形成される請求項１記載の着用物品。
【請求項４】
前記離隔シートは、前記身体側に位置する第１シートと、前記反対側に位置する第２シートとを含み、前記離隔シート弾性体は、前記第１および第２シート間に取り付けられ、
前記第１接合部は、前記離隔シート弾性体と前記第１および第２シートの少なくともいずれか一方との間に形成される請求項３記載の着用物品。
【請求項５】
前記可変形手段は、前記離隔シートの身体側に位置する可変形シートと、前記離隔シートおよび前記可変形シートを接合する第２接合部とを含み、前記第２接合部は、前記縦方向において間欠的に複数形成される請求項１記載の着用物品。
【請求項６】
前記離隔シートと前記吸液構造体との間には、前記離隔シートの離間によって空間が形成されるとともに、前記空間を前記縦方向に仕切る仕切りシートが形成される請求項１〜５記載のいずれかに記載の着用物品。
【請求項７】
前記可変形部材は、前記仕切りシートで覆われるとともに、前記仕切りシートを介して前記離隔シートに接合される請求項６記載の着用物品。
【発明の詳細な説明】
【技術分野】
【０００１】
この発明は、着用物品に関し、さらに詳しくは使い捨てのおむつ、排泄トレーニングパンツ、失禁ブリーフ等に関する。
【背景技術】
【０００２】
従来、使い捨てのおむつにおいて、便および尿を通過させる開口部が形成されたシートをトップシートの上にさらに有するものが公知である。例えば、特開２００７−１０５２９８号公報（特許文献１）によれば、おむつはトップシートと、バックシートと、これらシート間に位置する吸収体と、トップシートの上部に配置されるスキンコンタクトシートとを有している。スキンコンタクトシートには、便通過用開口部と尿通過用開口部とを形成し、これら開口部間には中央領域が形成されている。スキンコンタクトシートには開口部伸縮材が伸長状態で取り付けられ、この開口部伸縮材の収縮力によってスキンコンタクトシートがトップシートから離間して、着用者の肌に接触するようにしている。スキンコンタクトシートを着用者の肌に接触させることによって、着用者に便等が付着するのを防止している。
【特許文献１】特開２００７−１０５２９８号公報（ＪＰ２００７−１０５２９８  Ａ）
【発明の概要】
【発明が解決しようとする課題】
【０００３】
スキンコンタクトシートは、平面的に着用者の肌に接触するので、これらスキンコンタクトシートと曲線を有する着用者の肌との間にはどうしても隙間が生じてしまう。隙間を介してスキンコンタクトシート上に排泄物が載置された場合には、排泄物の重さでスキンコンタクトシートが押し下げられ、着用者の肌との離間距離をより大きくしてしまう。また、スキンコンタクトシート上の排泄物は、便通過用開口部または尿通過用開口部のいずれに流入するか確定されず、所望の開口部に流入されない可能性がある。この場合には、尿便分離の機能を発揮することができない。
【０００４】
この発明は、離隔シートと着用者の肌との間に隙間が生じるのを防止することができる着用物品を提供することを課題とする。
【課題を解決するための手段】
【０００５】
この発明は、縦方向および横方向と、身体側およびその反対側と、前ウエスト域、後ウエスト域および前記前後ウエスト域間に位置するクロッチ域とを有するシャーシと、前記シャーシの前記身体側にあって前記シャーシから離間可能に形成された離隔シートとを含む着用物品の改良に関わる。
【０００６】
この発明は、前記着用物品において、前記離隔シートは、前記シャーシの前記前後ウエスト域に接合される前後端縁と、前記縦方向に離間して形成され前記離隔シートの身体側およびその反対側を連通させる前後連通部と、前記前後連通部の前記横方向外側に位置する両側部分と、前記両側部分の間に連なるとともに前記前後連通部の間に形成された中間部分と、前記離隔シートを前記縦方向に弾性化する離隔シート弾性体と、前記中間部分に対して前記厚さ方向への可撓性を付与する可変形手段とを含み、前記中間部分が前記身体に沿って変形可能とされることを特徴とする。
【０００７】
この発明の好ましい実施態様のひとつとして、前記可変形手段は、前記中間部分の前記身体側およびその反対側の少なくともいずれか一方に位置し、前記横方向外側からの押圧によって変形可能な可変形部材を含む。
好ましい他の実施態様のひとつとして、前記可変形手段は、前記離隔シート弾性体と、前記離隔シート弾性体を前記離隔シートに直接または間接的に接合する第１接合部とを含み、前記第１接合部は、前記縦方向に間欠的に複数形成される。
好ましい他の実施態様のひとつとして、前記離隔シートは、前記身体側に位置する第１シートと、前記反対側に位置する第２シートとを含み、前記離隔シート弾性体は、前記第１および第２シート間に取り付けられ、前記第１接合部は、前記離隔シート弾性体と前記第１および第２シートの少なくともいずれか一方との間に形成される。
好ましい他の実施態様のひとつとして、前記可変形手段は、前記離隔シートの身体側に位置する可変形シートと、前記離隔シートおよび前記可変形シートを接合する第２接合部とを含み、前記第２接合部は、前記縦方向において間欠的に複数形成される。
好ましい他の実施態様のひとつとして、前記離隔シートと前記吸液構造体との間には、前記離隔シートの離間によって空間が形成されるとともに、前記空間を前記縦方向に仕切る仕切りシートが形成される。
好ましい他の実施態様のひとつとして、前記可変形部材は、前記仕切りシートで覆われるとともに、前記仕切りシートを介して前記離隔シートに接合される。
【発明の効果】
【０００８】
この発明において、離隔シートの両側部分の間に連なる中間部分に、中間部分に厚さ方向への可撓性を付与する可変形手段を形成することとした。可変形手段によって、離隔シートと着用者の身体との空隙を解消することができるので、排泄物が離隔シート上に排泄されるのを防止することができる。
【図面の簡単な説明】
【０００９】
【図１】第１の実施形態のおむつの斜視図。
【図２】図１のＩＩ−ＩＩ線断面図。
【図３】図１の展開平面図。
【図４】図３の分解組立図。
【図５】図３の部分図。
【図６】図３のＶＩ−ＶＩ線断面図。
【図７】図６に対応する説明図。
【図８】第２の実施形態の部分斜視図。
【図９】第２の実施形態の図６と同様の図。
【図１０】第３の実施形態の一部平面図。
【図１１】図１０のＸＩ−ＸＩ線断面図。
【図１２】図１１に対応する説明図。
【図１３】第４の実施形態の一部平面図。
【図１４】第５の実施形態の部分破断平面図。
【図１５】図１４のＸＶ−ＸＶ線断面の説明図。
【発明を実施するための形態】
【００１０】
着用物品として使い捨ておむつを用い、本発明の一例を説明する。
【００１１】
＜第１の実施形態＞
図１〜７は本発明の第１の実施形態を示したものである。図１はおむつ１のウエスト開口およびレッグ開口が環状に保たれた状態の斜視図、図２は図１のＩＩ−ＩＩ線断面図、図３は図１の展開平面図であっておむつ１の各弾性体をその収縮力に抗して伸長させ、おむつ１を平面に保った状態を示した図、図４は図３の分解組立図、図５は図３の部分図であって各弾性体が収縮したときの図、図６は図３のＶＩ−ＶＩ線断面図、図７は着用時における説明図である。なお、以下の説明において、「身体側」、「着衣側」とは、着用物品の着用時における位置を意味する。
【００１２】
おむつ１は、シャーシ１０と、シャーシ１０の身体側に位置する吸液構造体２０と、さらに着用時に吸液構造体から身体側へ離間する離隔シート３０と、一対の漏れバリアカフ４０とを含む。
【００１３】
シャーシ１０は、前ウエスト域１１、後ウエスト域１２および前記前後ウエスト域１１，１２間に位置するクロッチ域１３を有する。前ウエスト域１１からクロッチ域１３を通って後ウエスト域１２へと向かう方向を縦方向Ｙとし、これに直交する方向を横方向Ｘとしている。おむつ１は、シャーシ１０の横方向Ｘの長さ寸法を二等分する仮想縦中心線Ｐ−Ｐと、縦方向Ｙの長さ寸法を二等分する仮想横中心線Ｑ−Ｑとを有し、仮想縦中心線Ｐ−Ｐに対してほぼ対称に形成されている。
【００１４】
図３に示したように、シャーシ１０は、それぞれ縦方向Ｙに延びるとともに前ウエスト域１１に位置する前ウエスト側縁１４と、後ウエスト域１２に位置する後ウエスト側縁１５と、縦方向Ｙに斜めに交差する方向へほぼＶ字形に延びるとともにクロッチ域１３に位置するクロッチ側縁１６とを有し、前後ウエスト域１４,１５を互いに接合することによって、図１に示したパンツ形状を形成している。シャーシ１０は、着用者の身体側に位置する内面シート１７と、その反対側である着衣側に位置する外面シート１８と、これら内外面シート１７，１８の間に位置する漏れ防止シート１９とを含む。内外面シート１７，１８は、通気性かつ疎水性の不織布等で形成され、吸液構造体２０の少なくとも底部を覆う漏れ防止シート１９を介して互いに接合されている。
【００１５】
内外面シート１７，１８の間には、前後ウエスト弾性体５１，５２と、前後レッグ弾性体５３，５４とが取り付けられている。図４に示したように、前後ウエスト弾性体５１，５２は、前後ウエスト域１１，１２にそれぞれ位置し、複数本の弾性糸が縦方向Ｙに離間して、横方向Ｘに伸長状態で収縮可能に取り付けられている。これら前後ウエスト弾性体５１，５２は、それらの一部が、吸液構造体２０に重なっている。前後ウエスト弾性体５１，５２が、吸液構造体２０に重なって取り付けられることによって、吸液構造体２０を身体側に密着させることができ、尿漏れ等を防止可能である。
【００１６】
前レッグ弾性体５３は、前ウエスト側縁１４からクロッチ側縁１６に向かって延びるとともに、これらクロッチ側縁１６に沿って伸長状態で収縮可能に取り付けられ、横方向Ｘにおいて離間されている。後レッグ弾性体５４は、後ウエスト側縁１５からクロッチ側縁１６に向かって延びるとともに、一方の側縁１６から他方の側縁１６に向かって仮想縦中心線Ｐ−Ｐを横断して横方向Ｘに連続して取り付けられている。後レッグ弾性体５４の横方向Ｘに連続している部分は、仮想横中心線Ｑ−Ｑの近傍であって、これよりも前ウエスト域１１側において、横方向Ｘに延びている。このような後レッグ弾性体５４によってクロッチ域１３が横方向Ｘに収縮されると、後レッグ弾性体５４の後ウエスト域１２側で、ポケット５５が形成される。ポケット５５では、特に便を捕集することによって、これが肌に付着したり、漏れたりするのを防止することができる（図１および図２参照）。
【００１７】
吸液構造体２０は、ティッシュペーパ等の吸液拡散シートで包まれる吸液性芯材２１と、吸液性芯材を覆う身体側ライナ２２とを含む。吸液構造体２０は、クロッチ域１３から縦方向Ｙに延びるとともに、その底面側が内面シート１７に接合されている。
【００１８】
離隔シート３０は、横方向Ｘに延びる前後端縁３１，３２と、縦方向Ｙに延びる両側縁３３とを有し、前後端縁３１，３２は、前後ウエスト域１１，１２において吸液構造体２０の身体側ライナ２２に接合されている。前後端縁３１，３２以外の部分では、身体側ライナ２２に接合されることなく、ライナ２２から離間可能にされている。離隔シート３０は、縦方向Ｙに中間部分３４を介して離間される前後連通部３５，３６が形成されている。中間部分３４は、両側縁３３を有する両側部分３７の間に連なって形成されている。前後連通部３５，３６は、前後端縁３１，３２において開口し、中間部分３４において閉口し、全体としてほぼＵ字形に形成されている。これら前後連通部３５，３６を介して、身体側と吸液構造体２０側とが連通されている。
【００１９】
離隔シート３０は、身体側に位置する第１シート３０ａと、その反対側である着衣側に位置する第２シート３０ｂとを含み、これら第１および第２シート３０ａ，３０ｂ間において、縦方向Ｙに延びる離隔シート弾性体３８が取り付けられている。離隔シート弾性体３８は、前端縁３１から中間部分３４を介して後端縁３２へと延び、中間部分３４においては、仮想縦中心線Ｐ−Ｐに向かって互いの離間距離を小さくするように湾曲されている。離隔シート弾性体３８は、第１および第２シート３０ａ，３０ｂの少なくともいずれか一方に接合され、伸長状態で収縮可能に取り付けられている。
【００２０】
図５は、おむつ１のシャーシ１０を省略し、各弾性体が収縮した状態を示したものである。図５および６に示したように、離隔シート弾性体３８が収縮すると、離隔シート３０が吸液構造体２０から離間して、これらの間には空間６０が形成される。離隔シート３０と吸液構造体２０との間には、空間６０を前後に仕切る仕切りシート７０が形成されている。仕切りシート７０は、一端７１が吸液構造体２０の身体側ライナ２２に接合され、他端７２が中間部分３４の着衣側に接合されている。仕切りシート７０は、横方向Ｘの長さ寸法が離隔シート３０の同方向の長さ寸法とほぼ等しくされているので、離隔シート３０が吸液構造体２０から離間された場合には、空間６０を前後に仕切ることができる。
【００２１】
仕切りシート７０の他端７２には、本発明における可変形手段としての可変形部材８０が形成されている。可変形部材８０は、複数枚の繊維不織布の積層体を含み、仕切りシート７０で積層体を包むことによって形成されている。可変形部材８０の横方向Ｘの長さ寸法は、仕切りシート７０の同方向の長さ寸法とほぼ等しくされている。このような可変形部材８０は、離隔シート３０よりも剛性が高く、離隔シート３０の特に中間部分３４が、吸液構造体２０側へと妄りに落ち込むのを防止することができる。また、可変形部材８０は、繊維不織布の積層体を有することによって、それ自体が可撓性を有し、変形可能とされている。可変形部材８０を中間部分３４に接合することによって、中間部分３４にも可撓性を付与することができ、可変形部材８０に追従して変形可能とすることができる。また、可変形部材８０を構成する繊維不織布を透液性とすることによって、可変形部材８０全体を透液性とすることができる。
【００２２】
漏れバリアカフ４０は、横方向Ｘに離間して一対形成され、吸液構造体２０の外側に接合されるカフ近位縁４１と、吸液構造体２０の身体側に位置するカフ遠位縁４２と、縦方向Ｙ前後に位置するカフ前後端縁４３，４４とを有する。カフ遠位縁４２では、カフ前後端縁４３，４４の近傍のみが吸液構造体２０に接合され、他の部分では接合されることなく、吸液構造体２０から離間可能とされている。カフ遠位縁４２には、カフ弾性体４５が取り付けられている。カフ弾性体４５は、縦方向Ｙに延びるとともに伸長状態で収縮可能に取り付けられている。
カフ弾性体４５が収縮すると、吸液構造体２０と接合されていないカフ遠位縁４２が、起立するように吸液構造体２０から離間して、尿等の排泄物が漏れ防止カフ４０の横方向Ｘ外側に漏れるのを防止することができる。
【００２３】
図７は、図６の状態からおむつ１を着用した状態を示した図であり、着用者の股部を鎖線で示している。図示したように、離隔シート３０が吸液構造体２０から離間して、その中間部分３４が着用者の股下に当接する。中間部分３４の着衣側には可変形部材８０が横方向Ｘに延びているから、この可変形部材８０が着用者の大腿部によって横方向Ｘ内側へと押し付けられる。押し付けられた可変形部材８０は、撓んで身体側へと隆起し、中間部分３４を身体へと密着させることができる。すなわち、中間部分３４を身体側へと押し付けることによって、身体の曲線に沿って中間部分３４を変形させ、これを着用者の身体に密着させて、隙間が生じるのを防止することができる。着用者の身体と離隔シート３０との間に隙間が生じないので、排泄された尿は前連通部３５を介して空間６０に流入され、便は後連通部３６を介して空間６０に流入される。排泄物が離隔シート３０上に排泄されることなく、確実に前後連通部３５，３６に排泄されるので、離隔シート３０が着用者の肌から離れてしまうのを防止することができる。離隔シート３０が、着用者の肌に密着することによって、空間６０に流入された排泄物が肌に付着するのを防止することができる。
【００２４】
空間６０は、仕切りシート７０によって前後に仕切られているので、前後連通部３５，３６を介して空間６０に流入した尿および便を分離することができる。
可変形部材８０は、仕切りシート７０によって包まれ、仕切りシート７０を介して中間部分３４に接合されているので、他の部材で別途包んで接合する場合に比べて、部品点数を少なくすることができ、製造コストの増大を抑制することができる。ただし、必ずしも可変形部材８０は仕切りシート７０を介して中間部分３４に接合される必要はなく、可変形部材８０のみで中間部分３４に接合されていてもよい。この実施形態において、可変形部材８０が変形手段を構成している。
【００２５】
可変形部材８０が中間部分３４に接合される際、その横方向Ｘの全面で接合されてもよいし、間欠的に接合されてもよい。全面で接合された場合であって、ホットメルト接着剤を使用した場合には、接合部分を撥水性とすることができ、そこに尿が留まるのを防止することができる。また、間欠的に接合された場合には、接合部分の剛性がその他の部分よりも高くなり、これら剛性差によって可変形部材８０を身体側に向かって折れ曲がりやすくすることができる。
【００２６】
可変形部材８０は、離隔シート３０の着衣側、すなわち離隔シート３０と吸液構造体２０との間に形成されているが、離隔シート３０の身体側に形成されるようにしてもよい。この場合には、可変形部材８０が直接身体に密着することによって、結果的に離隔シート３０との隙間を解消することができる。また、離隔シート３０の第１および第２シート３０ａ，３０ｂの間に可変形部材８０を形成することとしてもよい。
可変形部材８０は、中間部分３４に対して完全に一致して重なるように形成されているが、前後連通部３５，３６へと延出してもよい。ただし、可変形部材８０が着用者の肛門を塞ぐことは好ましくないので、少なくとも肛門とは重ならないように取り付けることの望ましい。可変形部材８０の横方向Ｘの長さ寸法は、仕切りシート７０の同方向の長さ寸法とほぼ等しくしているが、これよりも短くてもよい。ただし、中間部分３４の横方向Ｘの長さ寸法よりも長いほうが、横方向Ｘ外側からの押圧を受けやすく、身体側に向かって隆起しやすいので好ましい。
【００２７】
可変形部材８０には、仮想縦中心Ｐ−Ｐに沿って折曲誘導部を形成することもできる。折曲誘導部としては、例えば、可変形部材８０の身体側またはその反対側に、加熱加圧処理によって凹部を形成することができる。凹部を形成することによって、折曲誘導部が薄くなり折れ曲がりやすくなる。また、加熱加圧処理によって剛性が大きくなり、周囲との剛性差によって折れ曲がりやすくなるということもある。可変形部材８０としては、繊維不織布の積層体のほか、可撓性を有する発泡性ウレタン等を用いることができる。
【００２８】
＜第２の実施形態＞
図８および９は、本発明の第２の実施形態を示したものである。図８は離隔シート３０と本発明の可変形手段としての可変形部材８１との斜視図、図９は図６と同様の図であって、この第２の実施形態のおむつ１の断面図である。この実施形態では、可変形部材を離隔シート３０の身体側に形成したことを特徴とするものであり、他の構成要素は第１の実施形態と同様である。第１の実施形態と同様の構成要素については、第１の実施形態と同じ符号を用い、その詳細な説明を省略する。
【００２９】
離隔シート３０の身体側には、発泡性ウレタン等の柔軟性発泡材料によって形成された可変形部材８１を接合している。可変形部材８１は、中間部分３４に取り付けられ、仮想縦中心線Ｐ−Ｐにおいて最も厚さ寸法が大きくされ、身体側に向かって先細りに形成された先端８１ａと、中間部分３４に取り付けられる底面８１ｂとを有している。先端８１ａは、身体側に向かって湾曲し弧を画いている。
【００３０】
このようなおむつ１において、その着用時には、可変形部材８１の先端８１ａが着用者の臀列部に入り込み、さらに、両臀部によって横方向Ｘに押し付けられて、可変形部材８１の全体が着用者の体に沿って変形し、密着する。可変形部材８１が着用者に密着することによって、排泄物が確実に前後連通部３５，３６に流入される。ただし、可変形部材８１は、着用者の肛門よりも前方に位置し、肛門を塞がないようにしている。
また、離隔シート３０の身体側に可変形部材８１を形成しているので、着用者の身体には可変形部材８１が接触し、離隔シート３０は直接身体に接触しないので、この離隔シート３０による肌への刺激を低減することができる。
【００３１】
この実施形態において、可変形部材８１が変形手段を構成している。
可変形部材８１として、発泡性ウレタン等の柔軟性発泡材料を用いているが、繊維不織布の集合体等、他の可撓性の部材を用いることができる。
【００３２】
＜第３の実施形態＞
図１０〜１２は、本発明の第３の実施形態を示したものである。図１０は離隔シート３０の平面図であって、その一部を破断させたもの、図１１は図１０のＸＩ−ＸＩ線断面図、図１２は離隔シート弾性体３８が収縮したときの説明図である。この実施形態では、可変形手段としての離隔シート弾性体３８と、第１および第２シート３０ａ，３０ｂ間に位置する第１接合部８２とを含むことを特徴とするものであり、他の構成要素は第１の実施形態と同様である。第１の実施形態と同様の構成要素については、第１の実施形態と同じ符号を用い、その詳細な説明を省略する。
【００３３】
離隔シート弾性体３８は、離隔シート３０の第１シート３０ａおよび第２シート３０ｂの間に伸長状態で収縮可能に取り付けられている。離隔シート弾性体３８は、中間部分３４の近傍においては、仮想縦中心線Ｐ−Ｐに向かって離間距離を縮めるように湾曲している。このように湾曲した部分において、第１および第２シート３０ａ，３０ｂおよび離隔シート弾性体３８を互いに接合する第１接合部８２を形成している。第１接合部８２は、ホットメルト接着剤等の接着手段によって構成されている。
【００３４】
第１接合部８２は、縦方向Ｙに離間して複数形成されるとともに、離隔シート弾性体３８を横方向Ｘに横切って延びている。したがって、第１接合部８２によって、第１および第２シート３０ａ，３０ｂと、離隔シート弾性体３８とが互いに接合される。第１および第２シート３０ａ，３０ｂは、少なくとも中間部分３４近傍では、第１接合部８２以外の接合手段で接合されることはなく、互いに離間可能とされている。
【００３５】
図１１は、離隔シート弾性体３８を収縮させない状態を示したものであり、図１２は、離隔シート弾性体３８が収縮した状態を示したものである。離隔シート弾性体３８が収縮すると、第１接合部８２以外の部分において、第１および第２シート３０ａ，３０ｂが撓んで、それらの対向面とは反対側に突出するように皺を形成する。皺が形成されることによって、離隔シート３０の中間部分３４においては、厚さ方向の嵩高が大きくなり、その分、着用者との隙間を減少させることができる。また、第１および第２シート３０ａ，３０ｂを繊維不織布等の柔軟なシートで形成することによって、皺は着用者の体のラインに沿って密着することが可能であり、かつ、着用者の肌に対する刺激を抑えることができる。また、皺は、横方向Ｘに複数延びるので、排泄物の縦方向Ｙへの流動を規制することができ、尿便分離の機能を発揮することができる。
【００３６】
離隔シート弾性体３８が湾曲する中央部分３４において、これを第１および第２シート３０ａ，３０ｂに対して接合する第１接合部８２を形成することによって、離隔シート弾性体３８を確実に固定することができ、この弾性体の抜けや位置ずれを防止することができる。
第１接合部８２は、第１および第２シート３０ａ，３０ｂを少なくとも中間部分３４において縦方向Ｙに間欠的に接合するものであればよいので、離隔シート弾性体３８に重なって形成される必要はない。ただし、離隔シート弾性体３８の抜けや位置ずれを防止するためには、これに重なって形成されることが好ましい。位置ずれの防止が達成できるものとして、例えば、第１接合部８２が、離隔シート弾性体３８の横方向Ｘ近傍に形成されるものであればよい。この実施形態では、中間部分３４において離隔シート弾性体３８が伸長状態で仮想縦中心線Ｐ−Ｐへと湾曲されているので、少なくとも、離隔シート弾性体３８の横方向Ｘ外側に第１接合部８２が形成されることによって、位置ずれを防止することができる。
【００３７】
＜第４の実施形態＞
図１３は、本発明の第４の実施形態を示したものである。図１３は離隔シート３０の平面図であって、その一部を破断させている。この実施形態では、変形手段として離隔シート弾性体３８と、第１および第２シート３０ａ，３０ｂ間に位置する第１接合部８３とを含むことを特徴とするものであり、他の構成要素は第１の実施形態と同様である。第１の実施形態と同様の構成要素については、第１の実施形態と同じ符号を用い、その詳細な説明を省略する。
【００３８】
第１接合部８３は、離隔シート３０の中央部分３４近傍に形成されるものであって、例えば加熱加圧処理によって第１および第２シート３０ａ，３０ｂを互いに溶着させることによって形成されるものである。このような第１接合部８３は、離隔シート弾性体３８の横方向Ｘ両側に位置するものを一対として形成されるものであって、これら対が縦方向Ｙに離間して複数形成されている。
【００３９】
上記のように第１接合部８３を形成することによって、図１２に示したのと同様に、離隔シート弾性体３８の収縮によって、第１および第２シート３０ａ，３０ｂに皺が形成される。皺が形成されることによって、着用時における着用者と隙間を解消することができる。
また、第１接合部８３を点状に形成することができるので、第１接合部８３の形成によって第１および第２シート３０ａ，３０ｂの剛性が大きくなった場合であっても、肌への刺激を抑制することができる。第１接合部８３を離隔シート弾性体３８の横方向Ｘ両側に形成することとしたので、離隔シート弾性体３８の横方向Ｘにおける位置ずれを防止することができる。
【００４０】
この実施形態において、第１接合部８３を離隔シート弾性体３８の横方向Ｘ両側に形成することとしているが、少なくともその外側にあればよい。また、離隔シート弾性体３８を介して横方向Ｘに並ぶ２つの第１接合部８３を一組の対として説明しているが、必ずしも対をなしている必要はなく、２つの接合部が縦方向Ｙにずれているような場合であってもよい。
【００４１】
＜第５の実施形態＞
図１４および１５は、本発明の第５の実施形態を示したものである。図１４は離隔シート３０の部分破断平面図、図１５は離隔シート弾性体３８の収縮時における図１４のＸＶ−ＸＶ線断面図である。この実施形態では、可変形手段としての可変形シート９０と、離隔シート３０および可変形シート９０間に位置する第２接合部８４と、離隔シート弾性体３８とを含むことを特徴とするものであり、他の構成要素は第１の実施形態と同様である。第１の実施形態と同様の構成要素については、第１の実施形態と同じ符号を用い、その詳細な説明を省略する。
【００４２】
離隔シート３０の第１シート３０ａの身体側には、一対の可変形シート９０を第２接合部８４を介して接合している。可変形シート９０は、透液性の繊維不織布等を用いることができ、中間部分３４の近傍であって、離隔シート弾性体３８と重なる位置において形成されている。第２接合部８４は、例えば、ホットメルト接着剤等の接着手段によって形成されている。第２接合部８４は、可変形シート９０の全域であって、横方向Ｘに延びるとともに、縦方向Ｙに離間して形成されている。
【００４３】
上記のような構成において、離隔シート弾性体３８が収縮すると、可変形シート９０が撓んで、第２接合部８４の間では、身体側に向かって突出するように皺が形成される。皺が形成されることによって、着用時における着用者との隙間を解消することができる。
第１および第２シート３０ａ，３０ｂとは別部材の可変形シート９０を備えることとしているので、第１および第２シート３０ａ，３０ｂはそれらの全域で互いに接合されるようにすることができ、これら両シートを強固に接合することができる。また、強固な接合によって第１および第２シート３０ａ，３０ｂの間に取り付けた離隔シート弾性体３８の抜けや位置ずれを防止することもできる。
【符号の説明】
【００４４】
１    おむつ（着用物品）
１０    シャーシ
１１    前ウエスト域
１２    後ウエスト域
１３    クロッチ域
３０    離隔シート
３０ａ  第１シート
３０ｂ  第２シート
３１    前端縁
３２    後端縁
３４    中間部分
３５    前連通部
３６    後連通部
３７    両側部分
３８    離隔シート弾性体
７０    仕切りシート
８０    可変形部材
８１    可変形部材
８２    第１接合部
８３    第１接合部
８４    第２接合部
９０    可変形シート
Ｘ    横方向
Ｙ    縦方向
【図１】
2010264134.tif 000003
【図２】
2010264134.tif 000004
【図３】
2010264134.tif 000005
【図４】
2010264134.tif 000006
【図５】
2010264134.tif 000007
【図６】
2010264134.tif 000008
【図７】
2010264134.tif 000009
【図８】
2010264134.tif 000010
【図９】
2010264134.tif 000011
【図１０】
2010264134.tif 000012
【図１１】
2010264134.tif 000013
【図１２】
2010264134.tif 000014
【図１３】
2010264134.tif 000015
【図１４】
2010264134.tif 000016
【図１５】
2010264134.tif 000017